(57)【要約】【課題】複数の計測地点に設置された粘着シートのモニタリングを効率的に行うことができる画像読取方法、画像抽出方法、透明シート及び画像読取装置を提供することにある。【解決手段】一端部回りに回動可能に設けられた棒状の挟持体１１８を備える画像読取装置１により、粘着シートに粘着した虫を分析するための画像を読み取る画像読取方法であって、粘着シートに設けられた粘着面と、粘着面の縁部に配置すべき図形を設けた透明シートとを、透明シートが粘着面を覆うように貼付け、画像読取装置１の読取部１１５と挟持体１１８との間で透明シート及び粘着シートを挟持し、挟持した透明シート及び粘着シートの画像を読取部１１５で読み取ることを特徴とする画像読取方法。【選択図】図４
2014183744.tif 000002
【特許請求の範囲】
【請求項１】
一端部回りに回動可能に設けられた棒状の挟持体を備える画像読取装置により、粘着シートに粘着した虫を分析するための画像を読み取る画像読取方法であって、
該粘着シートに設けられた粘着面と、該粘着面の縁部に配置すべき図形を設けた透明シートとを、該透明シートが前記粘着面を覆うように貼付け、
前記画像読取装置の読取部と前記挟持体との間で該透明シート及び前記粘着シートを挟持し、
挟持した前記透明シート及び前記粘着シートの画像を前記読取部で読み取る
ことを特徴とする画像読取方法。
【請求項２】
請求項１に記載の画像読取方法により前記透明シート及び前記粘着シートの画像を読み取った前記画像読取装置から、画像より一部の範囲を抽出する画像抽出装置へ、前記透明シート及び前記粘着シートの画像を出力し、
該画像抽出装置に入力された前記透明シート及び前記粘着シートの画像における前記図形に対応づけられた範囲を前記画像抽出装置で抽出する
ことを特徴とする画像抽出方法。
【請求項３】
粘着面を有する粘着シートに貼付けるための透明シートにおいて、
該粘着面の縁部に配置すべき図形を備える
ことを特徴とする透明シート。
【請求項４】
一端部回りに回動可能に設けられ、原稿を挟持するための棒状の挟持体と、
該挟持体により該原稿を挟持した状態で、前記原稿を読み取る読取部とを備える
ことを特徴とする画像読取装置。
【発明の詳細な説明】
【技術分野】
【０００１】
本発明は粘着シートに粘着した虫を分析するための画像を読み取る画像読取方法、画像抽出方法、透明シート及び画像読取装置に関する。
【背景技術】
【０００２】
従来、農場、植物工場、プラスチックハウス又は食品工場において、アザミウマ又はコナジラミ等の微小昆虫が生産品に食害を発生させている。ユーザが微小昆虫による食害を防止するためには、微小昆虫の発生原因を突き止め、早期に微小昆虫の駆除を行う必要がある。これら微小昆虫の発生原因を突き止める方法の一つとして捕虫装置によるモニタリングが挙げられる。モニタリングとは例えば、粘着シートを用いて微小昆虫を捕獲し、画像読取装置で画像化した後、ＰＣ（Personal computer）等で解析して、微小昆虫の種類及び計数を求めることである。特許文献１にはこれら一連の作業を自動化させた捕虫装置が開示されている。
【先行技術文献】
【特許文献】
【０００３】
【特許文献１】特開２００９−１０６３００号公報
【特許文献２】特開２００５−２３７３１７号公報
【特許文献３】特開２０１１−０８７５５３号公報
【発明の概要】
【発明が解決しようとする課題】
【０００４】
植物工場において微小昆虫はダクト、暖房設備周辺又は排水溝等の狭小部でカビ等を食糧源として繁殖するため、繁殖場所が多岐に渡る。そのため、ユーザは複数の計測地点においてモニタリングを行う必要がある。しかし特許文献１に記載の捕虫装置は高価かつ大型である。このため、捕虫装置が複数の計測地点を計測する場合、ユーザが何度も設置し直すことによって計測に時間が掛かってしまっていた。
【０００５】
本発明は斯かる事情に鑑みてなされたものであり、その目的とするところは、複数の計測地点に設置された粘着シートのモニタリングを効率的に行うことができる画像読取方法、画像抽出方法、透明シート及び画像読取装置を提供することにある。
【課題を解決するための手段】
【０００６】
本発明に係る画像読取方法は、一端部回りに回動可能に設けられた棒状の挟持体を備える画像読取装置により、粘着シートに粘着した虫を分析するための画像を読み取る画像読取方法であって、該粘着シートに設けられた粘着面と、該粘着面の縁部に配置すべき図形を設けた透明シートとを、該透明シートが前記粘着面を覆うように貼付け、前記画像読取装置の読取部と前記挟持体との間で該透明シート及び前記粘着シートを挟持し、挟持した前記透明シート及び前記粘着シートの画像を前記読取部で読み取ることを特徴とする。
【０００７】
本発明にあっては、画像読取方法は一端部回りに回動可能に設けられた棒状の挟持体を備える画像読取装置により、粘着シートに粘着した虫を分析するための画像を読み取る。画像読取方法は粘着シートに設けられた粘着面と、粘着面の縁部に配置すべき図形を設けた透明シートとを、透明シートが粘着面を覆うように貼付け、画像読取装置の読取部と挟持体との間で透明シート及び粘着シートを挟持し、挟持した透明シート及び粘着シートの画像を読取部で読み取る。
【０００８】
本発明に係る画像抽出方法は、請求項１に記載の画像読取方法により前記透明シート及び前記粘着シートの画像を読み取った前記画像読取装置から、画像より一部の範囲を抽出する画像抽出装置へ、前記透明シート及び前記粘着シートの画像を出力し、該画像抽出装置に入力された前記透明シート及び前記粘着シートの画像における前記図形に対応づけられた範囲を前記画像抽出装置で抽出することを特徴とする。
【０００９】
本発明にあっては、画像抽出方法は画像読取方法により透明シート及び粘着シートの画像を読み取った画像読取装置から、画像より一部の範囲を抽出する画像抽出装置へ、透明シート及び粘着シートの画像を出力し、画像抽出装置に入力された透明シート及び粘着シートの画像における図形に対応づけられた範囲を画像抽出装置で抽出する。
【００１０】
本発明に係る透明シートは、粘着面を有する粘着シートに貼付けるための透明シートにおいて、該粘着面の縁部に配置すべき図形を備えることを特徴とする。
【００１１】
本発明にあっては、透明シートは粘着面の縁部に配置すべき図形を備える
【００１２】
本発明に係る画像読取装置は、一端部回りに回動可能に設けられ、原稿を挟持するための棒状の挟持体と、該挟持体により該原稿を挟持した状態で、前記原稿を読み取る読取部とを備えることを特徴とする。
【００１３】
本発明にあっては、画像読取装置は、棒状の挟持体は一端部回りに回動可能に設けられ、原稿を挟持する。読取部は挟持体により該原稿を挟持した状態で、原稿を読み取る。
【発明の効果】
【００１４】
本実施の形態によれば、画像読取装置は読取部と挟持体との間で透明シート及び粘着シートを挟持し、挟持した透明シート及び粘着シートの画像を読取部で読み取る。このことにより、ユーザは一の計測地点において粘着シートを即座に読み取り、次に他の計測地点に移動して計測をすぐに行うことができる。このことによりユーザは複数の計測地点においてモニタリングを効率的に行うことができる。
【００１５】
また本実施の形態によれば、ユーザは粘着シートに設けられた粘着面と、粘着面の縁部に配置すべき図形を設けた透明シートとを、透明シートが粘着面を覆うように貼付ける。このため、画像読取装置が粘着シート及び透明シートを読み取った場合、透明シートは読取部に粘着面の粘着剤が貼りつくことによる画像のぼやけを防止する。このことにより、画像読取装置が精度の高い読み取りを行うことができ、ユーザは複数の計測地点においてモニタリングを効率的に行うことができる。
【図面の簡単な説明】
【００１６】
【図１】本実施形態に係る画像形成方法の概要を示す模式図である。
【図２】画像読取装置の一構成例を示すブロック図である。
【図３】ＰＣの一構成例を示すブロック図である。
【図４】画像読取装置の構造を示す正面図である。
【図５】画像読取装置の構造を示す平面図である。
【図６】画像読取装置の構造を示す底面図である。
【図７】粘着シートの一構成例を示す説明図である。
【図８】透明シートの一構成例を示す説明図である。
【図９】透明シートを貼付けた粘着シートの一構成例を示す説明図である。
【図１０】収容袋に収容した粘着シートを示す拡大図である。
【図１１】粘着面の底辺と粘着シートの底辺との間の長さと、マークの底辺と収容袋の底辺との間の長さとを比較する比較図である。
【図１２】画像形成方法の処理手順を示すフローチャートである。
【図１３】粘着シートを接合した透明シートの一構成例を示す説明図である。
【図１４】実施の形態３に係る透明シートの一構成例を示す説明図である。
【図１５】実施の形態４に係る透明シートの一構成例を示す説明図である。
【発明を実施するための形態】
【００１７】
以下、本発明をその実施の形態を示す図面に基づいて詳述する。
図１は本実施形態に係る画像形成方法の概要を示す模式図である。図１に示すように本実施形態に係る画像形成方法は、画像読取装置１、ＰＣ２（画像抽出装置）、粘着シート３及び透明シート４を用いる。粘着シート３には虫５が粘着し、虫５の上から透明シート４が貼付いている。虫５は例えば、アザミウマ又はコナジラミ等の微小昆虫である。
【００１８】
画像読取装置１は例えば、ハンディスキャナである。ユーザは画像読取装置１に手動で粘着シート３及び透明シート４を搬送することにより、画像読取装置１は粘着シート３及び透明シート４の画像を読み取ることができる。画像読取装置１は読み取った画像を無線信号によりＰＣ２へ送信する。ＰＣ２は受信した無線信号に含まれる画像の抽出、修正及び解析を行う。
【００１９】
図２は画像読取装置１の一構成例を示すブロック図である。本実施の形態に係る画像読取装置１はＣＰＵ（Central Processing Unit）１１１、記憶部１１２、画像メモリ１１３、送信部１１４、読取部１１５及び操作部１１６を備える。ＣＰＵ１１１、記憶部１１２、画像メモリ１１３、送信部１１４、読取部１１５及び操作部１１６はバスＬ上に接続されている。
【００２０】
操作部１１６はプッシュ操作を受け付けるプッシュスイッチ、又は接触操作を受け付けるセンサ等により構成され、操作信号をＣＰＵ１１１に出力する。
【００２１】
ＣＰＵ１１１は例えば一又は複数のＣＰＵ又はマルチコアＣＰＵ等を備える。ＣＰＵ１１１は、操作部１１６から操作信号が入力された場合、記憶部１１２に予め記憶された制御プログラム１２ａを読み出して実行する。ＣＰＵ１１１は制御プログラム１２ａを実行した場合、読取部１１５等に制御信号を出力することにより、画像読取装置１内の各部の動作を制御する。
【００２２】
記憶部１１２は、ＲＯＭ（Read Only Memory）及びにＲＡＭ（Random Access Memory）を備えている。ＲＯＭは例えばＥＥＰＲＯＭ（Electrically Erasable Programmable ROM）又はフラッシュメモリ等の不揮発性のメモリ素子である。またＲＡＭはＳＲＡＭ（Static Random Access Memory）又はＤＲＡＭ（Dynamic Random Access Memory）等の揮発性メモリ素子で構成されている。記憶部１１２は、ＣＰＵ１１１が処理を行う際に必要とする種々のデータ及びＣＰＵ１１１が実行する制御プログラム１２ａを予め記憶している。
【００２３】
読取部１１５はイメージセンサ１５ａを備える。イメージセンサ１５ａは例えば、ＣＣＤ（Charge Coupled Device）イメージセンサ又はＣＭＯＳ（Complementary Metal Oxide Semiconductor）イメージセンサ等である。イメージセンサ１５ａは図示しない光源からセットされた粘着シート３及び透明シート４に対して光が照射されたときに、粘着シート３及び透明シート４から反射した光を受光し、さらに電気信号に変換する。読取部１１５は、変換された電気信号をデジタルデータにさらに変換することで画像データ（画像）を取得する。読取部１１５が取得した画像は画像メモリ１１３に記憶する。なお、本実施の形態に係る画像読取装置１は、画像メモリ１１３に記憶した画像をマイクロＳＤ（Secure Digital）メモリカード等に記憶させてもよい。
【００２４】
送信部１１４はＰＣ２に無線信号を送信するものであり、アンテナ１４ａが接続されている。送信部１１４は、画像メモリ１１３に記憶された画像を無線信号に変換して、ＰＣ２に送信する。なお、画像読取装置１はＵＳＢ（Universal serial Bus）ケーブル等を用いて、スマートフォン又はＰＤＡ（Personal Digital Assistant）等に接続することもできる。画像読取装置１は送信先アドレスを画像メモリ１１３に記憶された画像とともにスマートフォンに出力し、スマートフォンは画像メモリ１１３に記憶された画像を含む無線信号をＰＣ２に送信することもできる。
【００２５】
図３はＰＣ２の一構成例を示すブロック図である。本実施の形態に係るＰＣ２はＣＰＵ２１１、記憶部２１２、受信部２１３及び表示部２１４を備える。ＣＰＵ２１１、記憶部２１２、受信部２１３及び表示部２１４はバスＬ上に接続されている。
【００２６】
受信部２１３は画像読取装置１から送信された無線信号を受信するものであり、受信部２１３にはアンテナ２３ａが接続されている。受信部２１３はたとえば、アンテナ２３ａにて受信した無線信号を画像に再変換して、画像をＣＰＵ２１１に入力する。
【００２７】
ＣＰＵ２１１は例えば一又は複数のＣＰＵ又はマルチコアＣＰＵ等を備える。ＣＰＵ２１１は、受信部２１３が無線信号を受信した場合、記憶部２１２に予め記憶された画像処理プログラム２２ａを読み出して実行する。ＣＰＵ２１１は画像処理プログラム２２ａを実行した場合、画像の抽出、修正及び解析を行う。
【００２８】
記憶部２１２は、ＲＯＭ及びにＲＡＭを備えている。ＲＯＭは例えばＥＥＰＲＯＭ又はフラッシュメモリ等の不揮発性のメモリ素子である。またＲＡＭはＳＲＡＭ又はＤＲＡＭ等の揮発性メモリ素子で構成されている。記憶部２１２は、ＣＰＵ２１１が処理を行う際に必要とする種々のデータ及びＣＰＵ２１１が実行する画像処理プログラム２２ａを予め記憶している。
【００２９】
表示部２１４は例えば、液晶ディスプレイであり、ＣＰＵ２１１から入力された制御信号に従って解析結果を出力する。なお、本実施形態の画像読取装置１及びＰＣ２は無線信号の送受信により画像の入出力を行ったが、ＵＳＢケーブル等を用いて画像の入出力を行ってもよい。
【００３０】
図４は画像読取装置１の構造を示す正面図である。図５は画像読取装置１の構造を示す平面図である。図６は画像読取装置１の構造を示す底面図である。図４、図５及び図６に示すように、可搬型の画像読取装置１は左右方向を長手方向とする直方体状をなし、左端が下方に向けて傾斜している。画像読取装置１は傾斜部分の左端に設けられたヒンジ１１７を介して挟持体１１８を接続している。挟持体１１８は棒状であり、一端部回りに回動可能に設けられている。挟持体１１８は読取部１１５の受光面を覆う板状部材である。画像読取装置１は読取部１１５と挟持体１１８との間で粘着シート３及び透明シート４を挟持することができる。なお、画像読取装置１はバネを用いて付勢することにより、読取部１１５と挟持体１１８との間に粘着シート３及び透明シート４を挟持してもよい。
【００３１】
凹部１２０は画像読取装置１の傾斜部分の裏側に設けられている。凹部１２０にはスプリング１１９の上部が埋め込まれている。スプリング１１９は凹部１２０から下部を露出して設置されている。スプリング１１９は例えば、コイルスプリングである。スプリング１１９は挟持体１１８に設けられた凹部１２１に当接する。このことにより画像読取装置１は挟持体１１８が粘着シート３及び透明シート４を挟持する際の衝撃を和らげることができる。
【００３２】
画像読取装置１は左部上面に操作部１１６を備える。操作部１１６は例えば、矩形状又は円形状のボタンである。読取部１１５は画像読取装置１の裏面に読取面を露出させて設置されており、イメージセンサ１５ａを内部に備える。
【００３３】
図７は粘着シート３の一構成例を示す説明図である。図７に示すように、粘着シート３は矩形状であり、非粘着面３４を上部に備える。粘着シート３は非粘着面３５を下部に備える。非粘着面３４及び非粘着面３５は矩形状である。粘着シート３は非粘着面３４の底辺、非粘着面３５の上辺、粘着シート３の左側の長辺及び粘着シート３の右側の長辺との間に、矩形状の粘着面３１を片面又は裏表両面に備える。なお、粘着面３１の左辺及び右辺は粘着シート３の両側の長辺から離隔して備えてもよい。粘着シート３は非粘着面３４の右上の角部近辺にラベル３２を備える。挿通孔３３が非粘着面３４の上端及び非粘着面３５の下端の略中央部に穿設されている。粘着シート３は例えば合成樹脂又は紙等で構成されている。
【００３４】
粘着シート３は矩形状であり、虫５を誘因するブラウン、イエロー、ブルー等を用いて着色され、表面には凹凸が形成されている。粘着面３１は例えば合成ゴム系又はアクリル樹脂系の粘着剤が塗布されており、虫５を粘着することができる。
【００３５】
ラベル３２は白色の紙等であり書き込み易いように、平面状に形成されている。粘着シート３は挿通孔３３に糸又は紐等を挿通することにより枝又は機械の突設部等に吊るし、空中を飛翔する虫５を粘着面３１に粘着することができる。なお粘着シート３は例えば、農場の地面又は植物工場内の床面等に設置し、地面又は床面を歩行する虫５を粘着することもできる。
【００３６】
図８は透明シート４の一構成例を示す説明図である。図８に示すように、透明シート４は縁の一辺が接合された矩形状の２枚のシートを備える。透明シート４は接合された縁の一辺を中心に二つ折りに折り畳むことにより、重ね合わせることができる。透明シート４の面積は粘着シート３の面積と同一以上の大きさである。
【００３７】
透明シート４はマーク４１１（図形）を左側の長辺の上部に備える。透明シート４はマーク４１２（図形）を右側の長辺の上部に備える。透明シート４はマーク４１３（図形）を左側の長辺の下部に備える。透明シート４はマーク４１４（図形）を右側の長辺の下部に備える。また透明シート４は収容袋４３を左下の角部の裏面に備える。なお、マーク４１１からマーク４１４は両側の長辺から離隔して透明シート４の内側に配置してもよい。
【００３８】
透明シート４は例えばポリエステル又は塩化ビニル等の透明性素材で構成されている。ラベル４２は白色の紙等であり、透明シート４の右上の角部近辺に貼付けされている。
【００３９】
収容袋４３は例えば矩形状又は三角形状であり、縁の二辺が透明シート４の裏面の角部に接合され、粘着シート３の角部を位置決めのために収容できるように構成されている。マーク４１１からマーク４１４は粘着面３１の縁部に配置すべき図形である。マーク４１１からマーク４１４は例えば矩形、円又は三角形等の図形であり、ユーザが目視により粘着シート３と区別しやすいように蛍光色等が塗られている。ユーザが収容袋４３に粘着シート３の角部を収容した場合、マーク４１１からマーク４１４は粘着面３１の４つの角に当接するように透明シート４に配置されている。
【００４０】
図９は透明シート４を貼付けた粘着シート３の一構成例を示す説明図である。図１０は収容袋４３に収容した粘着シート３を示す拡大図である。図９及び図１０に示すように、ユーザは２つ折りになった透明シート４の間に粘着シート３を挿入し、透明シート４に設けられた収容袋４３に粘着シート３の角部を収容する。次にユーザは粘着シート３に設けられた粘着面３１と、粘着面３１の縁部に配置すべきマーク４１１からマーク４１４を設けた透明シート４とを、透明シート４が粘着面３１を覆うように貼付ける。具体的には、ユーザはマーク４１１からマーク４１４を夫々粘着面３１の４つの角部に合わせて貼付ける。なお、ラベル３２はラベル４２と位置が重なってもよいし、ラベル４２と位置が違っていてもよい。さらに本実施形態の透明シート４は収容袋４３を左下の角部に備えたが、他の角部に収容袋４３を備えてもよい。さらに透明シート４は収容袋４３を左下及び右下の角部に備えてもよい。あるいは透明シート４は収容袋４３を備えなくてもよい。
【００４１】
図１１は粘着面３１の底辺と粘着シート３の底辺との間の長さＬ１と、マーク４１３の底辺と収容袋４３の底辺との間の長さＬ２とを比較する比較図である。図１１に示すように、長さＬ１は粘着面３１の底辺と粘着シート３の底辺との間の長さである。具体的には長さＬ１は粘着面３１の底辺の一点から粘着シート３の底辺へ下ろした垂線の長さである。長さＬ２はマーク４１３の底辺と収容袋４３の底辺との間の長さである。具体的には長さＬ２はマーク４１３の底辺の一点から収容袋４３の底辺へ下ろした垂線の長さである。Ｌ１はＬ２と同じ長さである。このことにより、ユーザが収容袋４３に粘着シート３の角部を収容した場合、マーク４１３の位置が粘着面３１の左下角部の位置に一致する。
【００４２】
画像読取装置１及びＰＣ２の動作を以下で説明する。まずユーザは読取部１１５と挟持体１１８との間に粘着シート３及び透明シート４を挟持する。次にユーザは操作部１１６のボタンを押下することにより、ＣＰＵ１１１は読取部１１５に粘着シート３及び透明シート４の画像を読み取るように制御信号を出力する。読取部１１５は読み取った画像を画像メモリ１１３に記憶する。ユーザは手動でマーク４１１からマーク４１４を読み取るまで粘着シート３及び透明シート４を搬送する。読取部１１５がマーク４１１からマーク４１４を読み取った後、ユーザが操作部１１６のボタンを押下する。ＣＰＵ１１１は読取部１１５に画像の読み取りを終了するよう制御信号を出力し、読取部１１５は読み取りを終了する。ＣＰＵ１１１は画像メモリ１１３に記憶した画像をＰＣ２に出力する。具体的にはＣＰＵ１１１は読取部１１５に画像の読み取りを終了するよう制御信号を出力し、画像メモリ１１３に記憶した画像を送信部１１４からＰＣ２に送信する。
【００４３】
画像がＰＣ２に入力される。具体的にはＰＣ２は受信部２１３にて画像を受信する。ＰＣ２は画像より一部の範囲を抽出する。すなわちＣＰＵ２１１は画像がＰＣ２に入力された場合、画像処理プログラム２２ａを実行し、粘着シート３及び透明シート４の画像におけるマーク４１１からマーク４１４に対応づけられた範囲を抽出する。具体的には、ＣＰＵ２１１は例えばパターンマッチング等を用いて、受信部２１３にて受信した画像にマーク４１１からマーク４１４があるか否か判定する。ＣＰＵ２１１は画像にマーク４１１からマーク４１４があると判定した場合、マーク４１１からマーク４１４が囲む範囲の画像を抽出する。
【００４４】
ＣＰＵ２１１はマーク４１１からマーク４１４に対応づけられた範囲において抽出した画像をマーク４１１からマーク４１４に基づいて修正する。具体的にはＣＰＵ２１１は予め記憶部２１２に記憶したマーク４１１からマーク４１４の配置と、読み取った画像のマーク４１１からマーク４１４の配置とが一致するように画像を回転、圧縮又は伸張等の画像処理により修正する。
【００４５】
ＣＰＵ２１１は修正した画像を解析する。具体的にはＣＰＵ２１１は例えば、テンプレートマッチング等を用いて画像内に含まれる虫５の計数及び種類を特定する（特開２０１２−１６１２６９号公報参照）。ＣＰＵ２１１は虫５の計数及び種類を表示部２１４に出力する。
【００４６】
なお、本実施形態のＣＰＵ２１１は粘着シート３及び透明シート４の画像におけるマーク４１１からマーク４１４に対応づけられた範囲を抽出したが、これに限るものではない。ＣＰＵ２１１は例えば、透明シート４に描かれた矩形又は円等の図形内の画像を抽出するようにしてもよい。またマーク４１１からマーク４１４は粘着シート３に備えてもよい。
【００４７】
次に、フローチャートを用いて画像形成方法の処理手順を説明する。図１２は画像形成方法の処理手順を示すフローチャートである。図１２に示すように、まずＣＰＵ１１１は操作部１１６から操作信号が入力されているか否かにより、操作部１１６に対するユーザの操作の有無を判定する（ステップＳ１）。ＣＰＵ１１１は操作部１１６から操作信号が入力されていない場合には（Ｓ１：ＮＯ）、操作信号が入力されるまで待機する。ＣＰＵ１１１は操作部１１６から操作信号が入力された場合（Ｓ１：ＹＥＳ）、ＣＰＵ１１１は読取部１１５に粘着シート３及び透明シート４の画像を読み取るように制御信号を出力する（ステップＳ２）。読取部１１５は読み取った画像を画像メモリ１１３に記憶する（ステップＳ３）。
【００４８】
ＣＰＵ１１１は操作部１１６から操作信号が入力されているか否かにより、操作部１１６に対するユーザの操作の有無を判定する（ステップＳ４）。ＣＰＵ１１１は操作部１１６から操作信号が入力されていない場合には（Ｓ４：ＮＯ）、Ｓ２に戻り、処理を続ける。ＣＰＵ１１１は操作部１１６から操作信号が入力された場合（Ｓ４：ＹＥＳ）、ＣＰＵ１１１は画像読取装置１からＰＣ２に画像を出力する（ステップＳ５）。具体的にはＣＰＵ１１１は読取部１１５に画像の読み取りを終了するよう制御信号を出力し、画像メモリ１１３に記憶した画像を送信部１１４からＰＣ２に送信する。
【００４９】
画像がＰＣ２に入力される（ステップＳ６）。具体的にはＰＣ２は受信部２１３にて画像を受信する。ＣＰＵ２１１は受信部２１３にて受信した画像にマーク４１１からマーク４１４があるか否か判定する（ステップＳ７）。ＣＰＵ２１１は画像にマーク４１１からマーク４１４があると判定した場合（Ｓ７：ＹＥＳ）、ＣＰＵ２１１は画像におけるマーク４１１からマーク４１４に対応づけられた範囲を抽出する（ステップＳ８）。ＣＰＵ２１１は抽出された画像をマーク４１１からマーク４１４に基づいて修正する（ステップＳ９）。ＣＰＵ２１１は修正した画像を解析する（ステップＳ１０）。
【００５０】
ＣＰＵ２１１は表示部２１４に解析結果を出力し（ステップＳ１１）、処理を終了する。ＣＰＵ２１１は画像にマーク４１１からマーク４１４がないと判定した場合（Ｓ７：ＮＯ）、Ｓ１０に処理を移行する。ＣＰＵ２１１は受信した画像を解析する（ステップＳ１０）。ＣＰＵ２１１は表示部２１４に解析結果を出力し（ステップＳ１１）、処理を終了する。
【００５１】
なお、本実施の形態に係る画像読取装置１は、ユーザが手動で粘着シート３及び透明シート４の搬送をしたが、画像読取装置１に設置された搬送用ローラが駆動することにより、粘着シート３及び透明シート４の搬送を行うこともできる。
【００５２】
本実施の形態によれば、画像読取装置１は読取部１１５と挟持体１１８との間で粘着シート３及び透明シート４を挟持し、挟持した粘着シート３及び透明シート４の画像を読取部１１５で読み取る。このことにより、ユーザは一の計測地点において粘着シート３を即座に読み取り、次に他の計測地点に移動して計測をすぐに行うことができる。このことによりユーザは複数の計測地点においてモニタリングを効率的に行うことができる。
【００５３】
また本実施の形態によれば、ユーザは粘着シート３に設けられた粘着面３１と、粘着面３１の縁部に配置すべきマーク４１１からマーク４１４を設けた透明シート４とを、透明シート４が粘着面３１を覆うように貼付ける。このため、画像読取装置１が粘着シート３及び透明シート４を読み取った場合、透明シート４が読取部１１５に粘着面３１の粘着剤が貼りつくことによる画像のぼやけを防止し、精度の高い読み取りを行うことができる。このことによりユーザは複数の計測地点においてモニタリングを効率的に行うことができる。
【００５４】
また本実施の形態によれば、ＰＣ２は粘着シート３及び透明シート４の画像をマーク４１１からマーク４１４に対応づけられた範囲において抽出する。このことにより、ＰＣ２は解析する時間を短くすることができる。
【００５５】
また本実施の形態によれば、画像読取装置１は読み取った画像を無線信号によりＰＣ２に送信する。このことによりユーザは複数の計測地点に設置された粘着シート３のモニタリングを効率的に行うことができる。
【００５６】
また本実施の形態によれば、ＰＣ２はマーク４１１からマーク４１４に対応づけられた範囲を抽出した画像をマーク４１１からマーク４１４に基づいて修正する。このことにより、ユーザは精度の高い分析を行うことができる。
【００５７】
また本実施の形態によれば、画像読取装置１は可搬型であるため、複数の計測地点においてモニタリングを効率的に行うことができる。
【００５８】
また本実施の形態によれば、粘着シート３はラベル３２を備え、透明シート４はラベル４２を備える。ユーザはラベル３２に番号を振ることにより、粘着シート３が設置された場所を容易に判別することができる。またユーザはラベル４２に番号を振ることにより、透明シート４を貼付けた後も粘着シートが設置された場所を容易に判別することができる。
【００５９】
また本実施の形態によれば、ユーザは透明シート４に設けられた収容袋４３に粘着シート３の角部を収容する。このことによりユーザはマーク４１１からマーク４１４を粘着面３１の４つの角に簡単に貼付けることができる。
【００６０】
また本実施の形態によれば、粘着面３１の底辺の一点から粘着シート３の底辺へ下ろした垂線の長さＬ１は、マーク４１３の底辺の一点から収容袋４３の底辺へ下ろした垂線の長さＬ２と同じ長さにするようにしてある。このため、ユーザは収容袋４３に粘着シート３の角部を収容した場合、マーク４１３の位置を粘着面３１の左下角部の位置に簡単に一致させることができる。
【００６１】
（実施の形態２）
以下本発明の実施の形態２をその実施の形態を示す図面に基づいて詳述する。図１３は粘着シート３を接合した透明シート４の一構成例を示す説明図である。以下、特に説明する構成、作用以外の構成及び作用は実施の形態１と同等であり、簡潔のため記載を省略する。
【００６２】
図１３に示すように、粘着シート３及び透明シート４は縁の一辺が接合されている。具体的には、粘着シート３及び透明シート４は短辺の上辺側が接合されている。なお、粘着シート３及び透明シート４は長辺の一辺を接合してもよい。透明シート４は接合された縁の一辺を中心に折り畳んだ場合、マーク４１１からマーク４１４は粘着面の縁部に配置される。具体的には透明シート４が接合された短辺の上辺側を中心に引っ張った状態で折り畳んだ場合、マーク４１１からマーク４１４は粘着面の４つの角部に配置される。
【００６３】
本実施の形態によれば、透明シート４は接合された縁の一辺を中心に折り畳んだ場合、マーク４１１からマーク４１４は粘着面の縁部に配置される。このことにより、ユーザは簡単に透明シート４を粘着シート３に貼付けることができる。またユーザは透明シート４を別途携帯する必要がないため、利便性が向上する。
【００６４】
（実施の形態３）
以下本発明の実施の形態３をその実施の形態を示す図面に基づいて詳述する。図１４は実施の形態３に係る透明シート４の一構成例を示す説明図である。以下、特に説明する構成、作用以外の構成及び作用は実施の形態１と同等であり、簡潔のため記載を省略する。  図１４に示すように実施の形態３に係る透明シート４は矩形状の薄膜フィルムであり、ポリエステル又は塩化ビニル等の透明性素材で構成されている。
【００６５】
本実施の形態によれば、透明シート４は矩形状の薄膜フィルムで構成されている。このことにより、透明シート４は安価に大量生産することができる。
【００６６】
（実施の形態４）
以下本発明の実施の形態４をその実施の形態を示す図面に基づいて詳述する。図１５は実施の形態４に係る透明シート４の一構成例を示す説明図である。以下、特に説明する構成、作用以外の構成及び作用は実施の形態１と同等であり、簡潔のため記載を省略する。  図１５に示すように実施の形態４に係る透明シート４はマーク４１５からマーク４１８を備える。マーク４１５からマーク４１８は接合された縁の一辺を中心に折り畳んだ際、マーク４１１からマーク４１４に対向する位置に配置される。
【００６７】
本実施の形態によれば、マーク４１５からマーク４１８は接合された縁の一辺を中心に折り畳んだ際、マーク４１１からマーク４１４に対向する位置に配置される。このことにより、ユーザは粘着シート３が粘着面３１を裏面に備えていても、粘着シート３及び透明シート４の画像をマーク４１５からマーク４１８に対応づけられた範囲において抽出することができる。このため、ＰＣ２は解析する時間を短くすることができる。
【００６８】
また、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６９】
１  画像読取装置
１１４  送信部
１１５  読取部
１１８  挟持体
２  ＰＣ（画像抽出装置）
３  粘着シート
３１  粘着面
４  透明シート
４１１  マーク（図形）
４１２  マーク（図形）
４１３  マーク（図形）
４１４  マーク（図形）
５  虫
【図１】
2014183744.tif 000003
【図２】
2014183744.tif 000004
【図３】
2014183744.tif 000005
【図４】
2014183744.tif 000006
【図５】
2014183744.tif 000007
【図６】
2014183744.tif 000008
【図７】
2014183744.tif 000009
【図８】
2014183744.tif 000010
【図９】
2014183744.tif 000011
【図１０】
2014183744.tif 000012
【図１１】
2014183744.tif 000013
【図１２】
2014183744.tif 000014
【図１３】
2014183744.tif 000015
【図１４】
2014183744.tif 000016
【図１５】
2014183744.tif 000017